(57)【要約】【課題】  本発明の目的は、密封性を維持しつつ、重量物を梱包した場合にも、持ち運びが容易な梱包箱を提供することである。【解決手段】  各種の物品を収容し梱包する折り畳み可能なプラスチック製の梱包箱であって、二組の対向する側壁２，３で形成した筒状本体１の前記各側壁２，３の一端に折り曲げ可能に連設した底面形成用の内フラップ４及び外フラップ５を有し、前記底面形成用の内フラップ４上に重畳される外フラップ５端面に、梱包箱底面と該梱包箱を載置した載置面との間に指を挿入するための切欠部５ａを設けたことを特徴とする。【選択図】    図１
2005178872.tif 000002
【特許請求の範囲】
【請求項１】
各種の物品を収容し梱包する折り畳み可能なプラスチック製の梱包箱であって、
二組の対向する側壁で形成した筒状本体の前記各側壁の一端に折り曲げ可能に連設した底面形成用の内フラップ及び外フラップを有し、
前記底面形成用の内フラップ上に重畳される外フラップ端面に、梱包箱底面と該梱包箱を載置した載置面との間に指を挿入するための切欠部を設けたことを特徴とする梱包箱。
【請求項２】
前記筒状本体の各側壁の他端に折り曲げ可能に連設した天面形成用の内フラップ及び外フラップを有し、
前記天面形成用の内フラップ上に重畳される外フラップ端面であって、前記梱包箱を積み上げた際に前記底面形成用の外フラップ端面に設けた切欠部と対向する位置に、前記切欠部を設けたことを特徴とする請求項１に記載の梱包箱。
【請求項３】
前記切欠部は、前記内フラップが連設された側壁に面する前記外フラップ端面の略全域にわたって設けたことを特徴とする請求項１又は２に記載の梱包箱。
【請求項４】
前記切欠部は、前記内フラップが連設された側壁に面する前記外フラップ端面の複数ヶ所に設けたことを特徴とする請求項１又は２に記載の梱包箱。
【請求項５】
密封性を必要する物品の梱包に用いられることを特徴とする請求項１乃至４のいずれか１項に記載の梱包箱。
【発明の詳細な説明】
【技術分野】
【０００１】
本発明は、各種の物品を梱包する折り畳み可能な梱包箱に関し、特に密封性を必要とする物品を梱包する梱包箱に関するものである。
【背景技術】
【０００２】
一般的に、各種の物品を収容して包装する際に使用する梱包箱は、一枚の段ボール材紙で構成された折り畳み可能な梱包箱が知られている。このような梱包箱としては、例えば、特開２００３−３３５３２４号公報に開示されているように、四角形の筒状本体の両対向側壁の一端に底蓋形成用の内フラップと外フラップとを連設すると共に、前記両対向側壁の他端に上蓋形成用の内フラップと外フラップとを連設してなる段ボール箱が提案されている。このような段ボール箱の包装は、まず底蓋形成用の両内フラップ上に両外フラッパを重畳させるように内側へ折り曲げ、その上からガムテープ等の封緘テープで封緘し、箱内へ目的の物品を収容した後、底蓋と同様に上蓋形成用の両内フラップと両外フラップとを折り曲げ、ガムテープ等の封緘テープで封緘していた。
【０００３】
また上記のような構成の梱包箱に、電子材料などの密封性を必要とする物品を収容して包装する場合、発泡ポリプロピレンなどのプラスチック材料を用いて前記梱包箱を成形することが好ましい。このようにプラスチック製の梱包箱とすることにより、密封性だけでなく、軽量化も図れ、且つ、収容する物品が重量物であった場合の強度を確保することも容易となる。
【０００４】
密封性を必要とする物品としては、例えば、ドライフィルムレジスト、ダイシングテープ、樹脂付銅箔、耐熱性絶縁フィルムなどの機能性フィルムを、芯材に巻回してなるロール状の機能性フィルムがある。
【０００５】
【特許文献１】特開２００３−３３５３２４号公報
【特許文献２】特開２００３−０７２７４０号公報
【特許文献３】特開２００３−２６７３４７号公報
【発明の開示】
【発明が解決しようとする課題】
【０００６】
しかしながら、上述した密封性を要するロール状の機能性フィルムを物品として梱包したプラスチック製梱包箱の場合、該プラスチック製梱包箱は紙製のものに比べて表面が滑りやすいため、例えば前記物品を収容したプラスチック製梱包箱を床置き状態や積み上げ状態から持ち上げることは困難であった。
【０００７】
上記問題を解決するために、例えば特開２００３−０７２７４０号公報に開示されているように、梱包箱の上面に把手をつけることが考えられるが、この場合、前記梱包箱を開梱時に折り畳んでコンパクトにすることができなくなるだけでなく、前記梱包箱の構成が複雑になってコストアップとなり、更には前記梱包箱を積み重ねられないという問題が発生する。
【０００８】
あるいは、上記問題を解決するために、例えば特開２００３−２６７３４７号公報に開示されているように、梱包箱の側壁に把手として機能する孔を空けることが考えられるが、前述した密封性を要するロール状フィルムなどの物品を梱包する場合は、該把手用の孔から粉塵が入りやすくなり、密封性が劣るという問題が発生する。
【０００９】
そこで、本発明は、上記課題に鑑みてなされたものであり、その目的とするところは、密封性を維持しつつ、重量物を梱包した場合にも、持ち運びが容易な梱包箱を提供することにある。
【課題を解決するための手段】
【００１０】
上記目的を達成するための本発明の代表的な構成は、各種の物品を収容し梱包する折り畳み可能なプラスチック製の梱包箱であって、二組の対向する側壁で形成した筒状本体の前記各側壁の一端に折り曲げ可能に連設した底面形成用の内フラップ及び外フラップを有し、前記底面形成用の内フラップ上に重畳される外フラップ端面に、梱包箱底面と該梱包箱を載置した載置面との間に指を挿入するための切欠部を設けたことを特徴とする。
【００１１】
また上記梱包箱は、前記筒状本体の各側壁の他端に折り曲げ可能に連設した天面形成用の内フラップ及び外フラップを有し、前記天面形成用の内フラップ上に重畳される外フラップ端面であって、前記梱包箱を積み上げた際に前記底面形成用の外フラップ端面に設けた切欠部と対向する位置に、前記切欠部を設けたことを特徴とする。
【００１２】
また上記梱包箱における前記切欠部は、前記内フラップが連設された側壁に面する前記外フラップ端面の略全域にわたって設けたことを特徴とし、あるいは、前記内フラップが連設された側壁に面する前記外フラップ端面の複数ヶ所に設けたことを特徴とする。
【００１３】
また上記梱包箱は、特に感光性ドライフィルムレジストなどの密封性を必要する物品の梱包に用いることが好ましい。
【発明の効果】
【００１４】
上記本発明によれば、前記底面形成用の外フラップ端面に設けた切欠部により、封緘した梱包箱を持ち上げる際に、梱包箱底面と該梱包箱を載置した載置面（梱包箱を積み上げた状態にあっては直下の梱包箱天面）との間に指が挿入しやすくなり、密封性を維持しつつ、滑りやすいプラスチック製梱包箱に重量物を梱包した場合にも、梱包箱の持ち運び作業が容易になる。
【００１５】
更に、前記底面形成用の外フラップ端面に設けた切欠部に合致するように、前記天面形成用の外フラップ端面にも前記切欠部を設けたことにより、特に前記梱包箱を積み上げた状態において、梱包箱底面とその直下の梱包箱天面との間に指を挿入することが更に容易になり、密封性を維持しつつ、重量物を梱包した場合であっても、持ち運びの際の作業が更に容易になる。また天面形成用フラップに設けた切欠部の位置を目視することで、底面形成用フラップに設けた切欠部の位置がわかるため、更に作業が容易になる。また梱包箱の天面又は底面のいずれの面を下にして載置し、あるいは積み上げてしまっても、該梱包箱の天面と底面の両方に切欠部を設けているので、その持ち上げ作業は容易である。
【００１６】
また前記切欠部を、前記内フラップが連設された側壁に面する前記外フラップ端面の略全域にわたって設け、あるいは、前記内フラップが連設された側壁に面する前記外フラップ端面の複数ヶ所に設けることにより、前記切欠部が設けられた対向する側壁端縁の様々な位置から、梱包箱底面と該梱包箱を載置した載置面（梱包箱を積み上げた状態にあっては直下の梱包箱天面）との間に容易に指を挿入することができ、密封性を維持しつつ、重量物を梱包した場合であっても、該梱包箱の持ち上げ作業が容易になる。
【００１７】
また、梱包箱の持ち上げに用いる前記切欠部は、内フラップ上に重畳される外フラップ端面に設けているため、梱包する物品が密封性を要する感光性ドライフィルムレジストなどの物品であっても、その密封性を維持しつつ、重量物を梱包した場合であっても、該梱包箱の持ち運び作業が容易である。
【発明を実施するための最良の形態】
【００１８】
以下、図面を参照して、本発明の好適な実施の形態を例示的に詳しく説明する。
【００１９】
〔第１実施形態〕
本発明の第１実施形態に係る梱包箱について図１及び図２を用いて説明する。図１及び図２は第１実施形態に係る梱包箱を示すもので、図１は梱包箱の底面側を示す斜視図、図２は梱包箱の底面側を封緘する過程を示す斜視図である。
【００２０】
図１及び図２において、本実施形態に係る梱包箱は、各種の物品を梱包する折り畳み可能な梱包箱であって、二組の対向する側壁２及び側壁３で四角形の筒状に形成された筒状本体１と、この筒状本体１の前記各側壁２，３の一端に折り曲げ可能に連設した底面形成用の内フラップ４及び外フラップ５と、前記各側壁２，３の他端に折り曲げ可能に連設した天面形成用の内フラップ６及び外フラップ７とを有しており、発泡ポリプロピレンなどのプラスチック材料で構成されている。梱包箱をプラスチック材料で構成することにより、紙製のものに比べて埃や塵が付着しにくく、且つ密封性が優れている。さらに、軽量化も図れ、且つ、収容する物品が重量物であった場合の強度を確保することも容易である。またプラスチック製の梱包箱とすることにより、回収・洗浄して再利用することも可能であり、コストを低減することができ、環境にもやさしい仕様となる。
【００２１】
更に本実施形態に係る梱包箱は、図１及び図２に示すように、前記底面形成用の内フラップ４に重畳される外フラップ５端面に、封緘した梱包箱を持ち上げる際に、梱包箱底面と該梱包箱を載置した載置面（梱包箱を積み上げた状態にあっては直下の梱包箱天面）との間に指を挿入するための切欠部５ａを設けている。本実施形態における外フラップ５端面に設けた切欠部５ａは、内フラップ４が連設された側壁２に面する外フラップ５端面であって、両内フラップ４上に重畳するように折り曲げた両外フラップ５端面の接合角部に設けてある。
【００２２】
本実施形態に係る梱包箱は、特に密封性を必要とする物品の梱包に好適に用いることができる。密封性を必要とする物品としては、例えば、感光性ドライフィルムレジスト、ダイシングテープ、樹脂付銅箔、耐熱性絶縁フィルムなどの機能性フィルムを、芯材に巻回してなるロール状の機能性フィルムがある。この機能性フィルムは、ミクロン単位の精密な電気配線により作製されるプリント基板に用いられるフィルムであって、例えば前記感光性ドライフィルムレジスト（以下「ＤＦＲ」という）は、感光性の粘着組成物がポリエチレンテレフタレート（ポリエステル、以下「ＰＥＴ」という）等のキャリアフィルムに担持され、更に防塵や、粘着組成物の取り扱いを容易にするための低密度ポリエチレン（以下「ＬＤＰＥ」という）等のカバーフィルムの３層から形成されており、これをアクリロニトリル、ブタジエン、スチレンのコポリマー又はこれらのブレンド（以下「ＡＢＳ」という）等の丸筒に長尺状に巻き取られたもので、用途に応じて必要な長さに切断して用いられる。
【００２３】
なお、本実施形態では、上記梱包箱に梱包する物品として、長尺状のＤＦＲを丸筒に巻回してなるロール状のＤＦＲを例示しているが、これに限定されるものではない。例えば、ダイシングテープ、樹脂付銅箔、耐熱性絶縁フィルムなどの他の機能性フィルムを、芯材に巻回してなるロール状の機能性フィルムであっても良いし、その他の密封性を必要とする電子材料であっても良い。更に本実施形態に係る梱包箱は、特に密封性を必要とする物品の梱包に用いることが好適であるが、もちろん密封性を必要としない他の物品であっても、該物品を梱包する梱包箱として、本実施形態に係る梱包箱を用いることは可能である。
【００２４】
上記のように構成された梱包箱の包装は、上述したような感光性ドライフィルムレジストなどの密封性を必要とする物品の梱包にあっては、塵や埃のない所謂クリーンルームで行う。クリーンルームにおいて、まず底面形成用の両内フラップ４を内側へ折り曲げると共に、両外フラップ５を内側へ折り曲げて内フラップ５上へ重畳させて、その上からガムテープ等の封緘テープ８を両外フラップ５の接合部の位置に接着して箱の底部を封緘する。そして、底部を封緘した梱包箱内へ上述したような目的の物品を収容した後、天面形成用の両内フラップ６を内側へ折り曲げると共に、両外フラップ７を内側へ折り曲げて内フラップ６上へ重畳させて、その上からガムテープ等の封緘テープ８を両外フラップ７の接合部の位置に接着して箱の上部を封緘する。
【００２５】
本実施形態によれば、前記底面形成用の外フラップ５端面に設けた切欠部５ａにより、前述したように封緘した梱包箱を持ち上げる際に、梱包箱底面と該梱包箱を載置した載置面（梱包箱を積み上げた状態にあっては直下の梱包箱天面）との間に指が挿入しやすくなり、密封性を維持しつつ、滑りやすいプラスチック製梱包箱に重量物を梱包した場合であっても、梱包箱の持ち運び作業が容易である。
【００２６】
〔第２実施形態〕
本発明の第２実施形態に係る梱包箱について図３及び図４を用いて説明する。図３及び図４は第２実施形態に係る梱包箱を示すもので、図３は梱包箱の天面側を示す斜視図、図３は封緘した梱包箱の積み上げ状態を示す斜視図である。
【００２７】
図３及び図４において、本実施形態に係る梱包箱では、更に、前記天面形成用の内フラップ６に重畳される外フラップ７端面にも、梱包箱底面と該梱包箱を載置した載置面（梱包箱を積み上げた状態にあっては直下の梱包箱天面）との間に指を挿入するための切欠部７ａを設けている。この切欠部７ａは、前記天面形成用の内フラップ７に重畳される外フラップ７端面であって、前記梱包箱を積み上げた際に前記底面形成用の外フラップ５端面に設けた切欠部５ａと対向する位置に設けている。また、この切欠部７ａの形状は、底面形成用の外フラップ５端面に設けた切欠部５ａの形状と合致するように形成している。なお、梱包箱のその他の構成は、前述した実施形態の梱包箱と略同様であるため、同等の機能を有する部材には同一符号を付し、その説明は省略する。
【００２８】
このように、本実施形態によれば、前記底面形成用の外フラップ５端面に設けた切欠部５ａに合致するように、前記天面形成用の外フラップ７端面にも前記切欠部７ａを設けたことにより、特に図４に示すように前記梱包箱を積み上げた状態において、梱包箱底面とその直下の梱包箱天面との間に指を挿入することが更に容易になり、密封性を維持しつつ、重量物を梱包した場合であっても、梱包箱の持ち運びの際の作業が更に容易になる。また天面形成用フラップ７に設けた切欠部７ａの位置を目視することで、底面形成用フラップ５に設けた切欠部５ａの位置（指が挿入しやすい位置）がわかるため、更に作業が容易になる。また梱包箱の天面又は底面のいずれの面を下にして載置し、あるいは積み上げてしまっても、該梱包箱の天面と底面の両方に切欠部を設けているので、その持ち上げ作業が容易である。
【００２９】
〔他の実施形態〕
本発明のその他の実施形態に係る梱包箱について図面を参照して説明する。図５及び図６は他の実施形態に係る梱包箱を示すもので、図５は底面側にのみ切欠部を有する梱包箱の底面側を示す斜視図、図６は天面側にも切欠部を有する梱包箱の積み上げ状態を示す斜視図である。
【００３０】
前述した第１実施形態では、切欠部５ａを底面形成用の外フラップ５端面の一部に設けた構成を例示したが、本発明はこれに限定されるものではない。例えば、図５に示すように、前記切欠部５ａを内フラップ４が連設された側壁２に面した底面形成用の外フラップ５端面の略全域にわたって設けた構成としても良い。
【００３１】
このように前記切欠部５ａを内フラップ４が連設された側壁２に面した底面形成用の外フラップ５端面の略全域にわたって設けることにより、前記切欠部５ａが設けられた対向する側壁２端縁のどこからでも、梱包箱底面と該梱包箱を載置した載置面（梱包箱を積み上げた状態にあっては直下の梱包箱天面）との間に容易に指を挿入することができ、密封性を維持しつつ、重量物を梱包した場合であっても、梱包箱の持ち運び作業が容易である。
【００３２】
あるいは、図示していないが、図１に示すような切欠部５ａを内フラップ４が連設された側壁２に面した外フラップ５端面の複数ヶ所に設けた構成としても良い。このように構成しても、略同様に、前記切欠部が設けられた対向する側壁端縁の様々な位置から、梱包箱底面と該梱包箱を載置した載置面（梱包箱を積み上げた状態にあっては直下の梱包箱天面）との間に容易に指を挿入することができ、密封性を維持しつつ、重量物を梱包した場合であっても、梱包箱の持ち運び作業が容易である。
【００３３】
また、図５に示す実施形態（および図示しない前述の実施形態）では、底面形成用の外フラップ５端面にのみ切欠部５ａを設けた構成を例示したが、本発明はこれに限定されるものではなく、第２実施形態と同様に図６に示すように天面形成用の外フラップ７端面にも同様の切欠部７ａを設けた構成としても良い。
【００３４】
このように構成することにより、特に図６に示すように梱包箱を積み上げた状態において、切欠部５ａ，７ａが設けられた対向する側壁２端縁のどこからでも、梱包箱底面とその直下の梱包箱天面との間に容易に指を挿入することができ、密封性を維持しつつ、重量物を梱包した場合であっても、梱包箱の持ち運びの際の作業が更に容易になる。また梱包箱の天面又は底面のいずれの面を下にして載置し、あるいは積み上げてしまっても、該梱包箱の天面と底面の両方に切欠部を設けているので、その持ち上げ作業が容易である。
【００３５】
また、内フラップ上に重畳される外フラップ端面に設ける切欠部の形状、数、位置は、前述した実施の形態らに限定されるものではなく、内フラップが連設された側壁に面する外フラップ端面であれば、該切欠部の形状、数、位置は必要に応じて適宜設定すれば良い。
【産業上の利用可能性】
【００３６】
本発明は、各種の物品を梱包する折り畳み可能なプラスチック製の梱包箱に広く適用することができ、特に密閉性を必要とする物品（ロール状の感光性ドライフィルムレジストなど）を梱包する梱包箱として好適である。
【図面の簡単な説明】
【００３７】
【図１】第１実施形態に係る梱包箱の底面側を示す斜視図
【図２】第１実施形態に係る梱包箱の底面側を封緘する過程を示す斜視図
【図３】第２実施形態に係る梱包箱の天面側を示す斜視図
【図４】第２実施形態に係る梱包箱の積み上げ状態を示す斜視図
【図５】他の実施形態に係る梱包箱の底面側を示す斜視図
【図６】他の実施形態に係る梱包箱の積み上げ状態を示す斜視図
【符号の説明】
【００３８】
１    …筒状本体
２    …側壁
３    …側壁
４    …底面形成用の内フラップ
５    …底面形成用の外フラップ
５ａ  …切欠部
６    …天面形成用の内フラップ
７    …天面形成用の外フラップ
７ａ  …切欠部
８    …封緘テープ
【図１】
2005178872.tif 000003
【図２】
2005178872.tif 000004
【図３】
2005178872.tif 000005
【図４】
2005178872.tif 000006
【図５】
2005178872.tif 000007
【図６】
2005178872.tif 000008